【事件の表示】
　特願２００６−１６０１１３「インクカートリッジ」拒絶査定不服審判事件〔平成１９年１２月２０日出願公開、特開２００７−３２６３１１、請求項の数（１０）〕について、次のとおり審決する。
【結　論】
　原査定を取り消す。
　本願の発明は、特許すべきものとする。
【理　由】
第１　手続の経緯
　本願は、平成１８年６月８日の出願であって、原審において平成２３年５月３１日付けで拒絶の理由が通知され、それに対して同年８月５日付けで手続補正がなされ、同年１１月２５日付けで最後の拒絶の理由が通知され、それに対して平成２４年１月６日付けで手続補正がなされたところ、同年３月８日付けで同年１月６日付けの手続補正を却下するとともに拒絶査定がなされ、それに対して同年６月１日に拒絶査定不服審判の請求がなされると同時に手続補正がなされたものである。
　その後当審において、平成２４年７月３０日付けで前置報告書の内容を示し意見を求めるための審尋を行ったところ、同年９月２６日に回答書が提出されたものである。
　　
第２　平成２４年６月１日付け手続補正についての補正却下の決定
〔補正却下の決定の結論〕
　平成２４年６月１日付け手続補正を却下する。
　　
〔理由〕
１　本件補正の内容
（１）平成２４年６月１日付け手続補正（以下「本件補正」という。）は、明細書及び特許請求の範囲について補正をするものであって、特許請求の範囲の記載については、本件補正前（平成２３年８月５日付け手続補正後のもの）に
「【請求項１】
　インクを貯留するインク貯留室を有するインク貯留体を備えたインクカートリッジにおいて、
　前記インク貯留体は、前記インク貯留室となる内部空間と、この内部空間からインクを排出するインク排出路と、前記内部空間と外部とを連通する複数の開口とを有するフレーム体と、前記複数の開口をそれぞれ塞ぐ第１の可撓性膜および第２の可撓性膜を備え、
　前記第１の可撓性膜は、貯留されたインクの消費に伴って前記内部空間が縮小する方向に変形するものであり、
　前記第２の可撓性膜は、その変形開始圧力が前記第１の可撓性膜の変形開始圧力よりも大きく、
　前記内部空間に対して前記インク排出路と同じ側に、前記第２の可撓性膜とフレーム規制部材とが設けられており、
　前記フレーム規制部材における前記内部空間から遠い側の端部が、前記インク排出路の延在方向に関して前記第２の可撓性膜と同じ位置にあることを特徴とするインクカートリッジ。
　　【請求項２】
　前記第２の可撓性膜には、変形開始前の状態において弛みが形成されていることを特徴とする請求項１に記載のインクカートリッジ。
　　【請求項３】
　前記弛みが、前記内部空間に向かって突出する環状の突起部を形成していることを特徴とする請求項２に記載のインクカートリッジ。
　　【請求項４】
　前記インク貯留体を収納するケースを更に備え、
　前記ケースは、前記インク排出路と連通するインク供給口と、前記第２の可撓性膜を外部に露出する露出孔を有することを特徴とする請求項１〜３のいずれか１項に記載のインクカートリッジ。
　　【請求項５】
　前記ケースは少なくとも１つの平面を有しており、前記インク供給口と前記露出孔が同一の前記平面に形成されていることを特徴とする請求項４に記載のインクカートリッジ。
　　【請求項６】
　前記第２の可撓性膜が光反射性を有する材料で作製されており、インクジェット記録装置に装着されたときに、当該インクジェット記録装置に設けられた反射型光学式センサの光路上に前記第２の可撓性膜が位置することを特徴とする請求項１〜５のいずれか１項に記載のインクカートリッジ。
　　【請求項７】
　前記第２の可撓性膜が非対称に変形するように前記第２の可撓性膜の変形を妨げる規制部材をさらに備えていることを特徴とする請求項６に記載のインクカートリッジ。
　　【請求項８】
　前記規制部材が、変形開始前の状態において前記第２の可撓性膜の一部分だけと接触していることを特徴とする請求項７に記載のインクカートリッジ。
　　【請求項９】
　前記第１の可撓性膜の表面積が前記第２の可撓性膜の表面積よりも大きいことを特徴とする請求項１〜８のいずれか１項に記載のインクカートリッジ。
　　【請求項１０】
　前記内部空間と連通すると共に、前記インク排出路と平行に延び、前記内部空間から遠い側の端部に前記第２の可撓性膜が設けられた、連通路を備え、
　前記フレーム規制部材は、前記インク排出路および前記連通路と平行に延びていることを特徴とする請求項１〜９のいずれか１項に記載のインクカートリッジ。 」
とあったものを、
　　
「【請求項１】
インクを貯留するインク貯留室を有するインク貯留体を備えたインクカートリッジにおいて、
　前記インク貯留体は、前記インク貯留室となる内部空間と、この内部空間からインクを排出するインク排出路と、前記内部空間と外部とを連通する複数の開口とを有するフレーム体と、前記複数の開口をそれぞれ塞ぐ第１の可撓性膜および第２の可撓性膜を備え、
　前記第１の可撓性膜は、貯留されたインクの消費に伴って前記内部空間が縮小する方向に変形するものであり、
　前記第２の可撓性膜は、
貯留されたインクの残量が所定量まで減少して前記貯留体の内部の圧力が変形開始圧力にまで低下するまでは変形せず、インク残量が前記所定量を下回ったときに変形するように構成され、
い
　　【請求項２】
前記第２の可撓性膜には、変形開始前の状態において弛みが形成されていることを特徴とする請求項１に記載のインクカートリッジ。
　　【請求項３】
前記弛みが、前記内部空間に向かって突出する環状の突起部を形成していることを特徴とする請求項２に記載のインクカートリッジ。
　　【請求項４】
前記インク貯留体を収納するケースを更に備え、
　前記ケースは、前記インク排出路と連通するインク供給口と、前記第２の可撓性膜を外部に露出する露出孔を有することを特徴とする請求項１〜３のいずれか１項に記載のインクカートリッジ。
　　【請求項５】
前記ケースは少なくとも１つの平面を有しており、前記インク供給口と前記露出孔が同一の前記平面に形成されていることを特徴とする請求項４に記載のインクカートリッジ。
　　【請求項６】
前記第２の可撓性膜が光反射性を有する材料で作製されており、インクジェット記録装置に装着されたときに、当該インクジェット記録装置に設けられた反射型光学式センサの光路上に前記第２の可撓性膜が位置することを特徴とする請求項１〜５のいずれか１項に記載のインクカートリッジ。
　　【請求項７】
前記第２の可撓性膜が非対称に変形するように前記第２の可撓性膜の変形を妨げる規制部材をさらに備えていることを特徴とする請求項６に記載のインクカートリッジ。
　　【請求項８】
前記規制部材が、変形開始前の状態において前記第２の可撓性膜の一部分だけと接触していることを特徴とする請求項７に記載のインクカートリッジ。
　　【請求項９】
前記第１の可撓性膜の表面積が前記第２の可撓性膜の表面積よりも大きいことを特徴とする請求項１〜８のいずれか１項に記載のインクカートリッジ。」 
と補正するものである。（下線は審決で付した。）
　　
（２）本件補正後の請求項１に係る発明についての補正内容は、以下のとおりのものである。
ア　本件補正前の請求項１に記載した発明を特定するために必要な事項である「第２の可撓性膜」について、「貯留されたインクの残量が所定量まで減少して前記貯留体の内部の圧力が変形開始圧力にまで低下するまでは変形せず、インク残量が前記所定量を下回ったときに変形するように構成され、」との記載を追加する。
イ　本件補正前の請求項１に記載した発明を特定するために必要な事項である「前記内部空間に対して前記インク排出路と同じ側に、前記第２の可撓性膜とフレーム規制部材とが設けられており」との記載、及び「前記フレーム規制部材における前記内部空間から遠い側の端部が、前記インク排出路の延在方向に関して前記第２の可撓性膜と同じ位置にある」との記載を削除する。
　　
２　補正の適否についての検討
　上記「１（２）イ」の補正について検討する。
　上記「１（２）イ」の補正は、補正前の請求項１に記載された発明特定事項である「フレーム規制部材」についての記載、及び、「第２の可撓性膜」についての限定事項を削除するものであるから、特許請求の範囲の減縮を目的としたものに該当しない。 
　また、上記「１（２）イ」の補正は、請求項の削除、誤記の訂正、あるいは明りょうでない記載の釈明のいずれを目的としたものにも該当しない。 
　　
３　まとめ
　したがって、本件補正は、平成１８年法律第５５号改正附則第３条第１項によりなお従前の例によるとされる同法による改正前の特許法第１７条の２第４項の規定に違反するので、同法第１５９条第１項において読み替えて準用する同法第５３条第１項の規定により却下すべきものである。
　　
第３　本願発明について
　本件補正は上記のとおり却下されたので、本願の請求項１ないし１０に係る発明は、平成２３年８月５日付け手続補正によって補正された特許請求の範囲の請求項１ないし１０に記載された事項によって特定されるものであるところ（なお、平成２４年１月６日付けの手続補正は原審で却下されている。）、請求項１ないし１０に係る発明は、上記「第２〔理由〕１（１）」に本件補正前の請求項１ないし１０として記載したとおりのものである。
　そして、本願については、原査定の拒絶理由を検討してもその理由によって拒絶すべきものとすることはできない。 
　また、他に本願を拒絶すべき理由を発見しない。 
　　
第４　むすび
　よって、結論のとおり審決する。